(57)【要約】【課題】家庭で子供やお年寄りでも簡単且つ手軽に大根をおろすことの出来る大根おろし器を提供する。【解決手段】ボックス状のハウジング２と、このハウジング２内に配置された多数のおろし刃３１をもつ回転刃板３と、この回転刃板３を回転させる回転軸４１を備えた回転機構４と、回転刃体３の刃面３０に対して大根Ａを近接乃至離間方向に移動可能に支持する支持体５が備えられ、回転刃板３は、その刃面３０が前記支持体５に支持する大根Ａの先端部と対向するように配置され、ハウジング２内の底部には、回転刃体３によりおろされた大根おろしの収容容器６の収納部２０が設けられ、支持体５には上部が開口する大根の収納凹部５０が備えられると共に、この支持体５はハウジング２の側板部２１に設けた貫通孔２１ａに通されてほぼ水平方向に配置される一方、回転刃体３の刃面３０は、ほぼ垂直方向に配置されている。【選択図】図２
0003133803.tif 000002
【実用新案登録請求の範囲】
【請求項１】
ボックス状のハウジング２と、このハウジング２内に配置された多数のおろし刃３１をもつ回転刃板３と、この回転刃板３を回転させる回転軸４１を備えた回転機構４と、回転刃体３の刃面３０に対して大根Ａを近接乃至離間方向に移動可能に支持する支持体５が備えられ、回転刃板３は、その刃面３０が前記支持体５に支持する大根Ａの先端部と対向するように配置され、ハウジング２内の底部には、回転刃体３によりおろされた大根おろしの収容容器６の収納部２０が設けられていることを特徴とする大根おろし器。
【請求項２】
支持体５には上部が開口する大根の収納凹部５０が備えられると共に、この支持体５はハウジング２の側板部２１に設けた貫通孔２１ａに通されてほぼ水平方向に配置される一方、回転刃体３の刃面３０は、ほぼ垂直方向に配置されていることを特徴とする請求項１に記載の大根おろし器。
19-002
【考案の詳細な説明】
【技術分野】
【０００１】
本考案は、家庭で簡単に大根おろしを作るための大根おろし器に関する。
【背景技術】
【０００２】
一般に家庭で大根おろしを作るに際しては、金属や陶器または硬質プラスチック製のおろし金が用いられているが、従来のおろし金を用いて大根をおろす場合には、おろし金を片手で押さえる一方、もう一方の手で大根を握りながら、大根の端面をおろし金に強く押し当てながら面方向の押引や回転を繰り返すおろし作業が必要となり、そのため、以上のおろし金では高齢者や女性に負担を強いる作業となる。
【０００３】
以上の不具合に対しては、例えば円筒状の受皿内におろし金板を組み付けると共に、受皿の上部開口を閉鎖する上蓋にハンドルを回転自由に取り付けて、ハンドルの回転軸の先端に大根を固定するための固定板を組み付け、固定板に固定した大根をハンドルの回転操作により受皿内にて回転させて、おろし金板により、順次大根をおろすようにした大根おろし器が提案されている。(特許文献１参照)
しかしながら以上の大根おろし器にあっても、ハンドルの操作により大根自体を受皿内で回転させるようにしていることから、ハンドルの回転操作に大きな力を必要とし、やはり高齢者や女性に負担を強いるものである。
【特許文献１】特開平８−７１００９号
【考案の開示】
【考案が解決しようとする課題】
【０００４】
本考案は以上の実情に鑑みて開発したものであって、目的とするところは、家庭で子供やお年寄りでも簡単且つ手軽に大根をおろすことの出来る大根おろし器を提供することにある。
【課題を解決するための手段】
【０００５】
以上の目的を達成するために、請求項１に記載の考案は、ボックス状のハウジング２と、このハウジング２内に配置された多数のおろし刃３１をもつ回転刃板３と、この回転刃板３を回転させる回転軸４１を備えた回転機構４と、回転刃体３の刃面３０に対して大根Ａを近接乃至離間方向に移動可能に支持する支持体５が備えられ、回転刃板３は、その刃面３０が前記支持体５に支持する大根Ａの先端部と対向するように配置され、ハウジング２内の底部には、回転刃体３によりおろされた大根おろしの収容容器６の収納部２０が設けられていることを特徴とするものである。
【０００６】
請求項２に記載の考案は、請求項１に記載の大根おろし器において、支持体５には上部が開口する大根の収納凹部５０が備えられると共に、この支持体５はハウジング２の側板部２１に設けた貫通孔２１ａに通されてほぼ水平方向に配置される一方、回転刃体３の刃面３０は、ほぼ垂直方向に配置されていることを特徴とするものである。
【考案の効果】
【０００７】
請求項１に記載の考案によれば、回転刃板３は、その刃面３０が前記支持体５に支持する大根Ａの先端部と対向するように配置され、ハウジング２内の底部には、回転刃体３によりおろされた大根おろしの収容容器６の収納部２０が設けられていることにより、回転機構４を介して回転刃体３を回転させるだけで、支持体５に支持した大根をその先端側から順次回転刃体３によりすりおろして、収納部２０にセットした収容容器６に収容することが出来るので、家庭において子供やお年寄りでも簡単且つ手軽に大根をおろすことが出来る。
【０００８】
請求項２に記載の考案によれば、支持体５には上部が開口する大根の収納凹部５０が備えられると共に、この支持体５はハウジング２の側板部２１に設けた貫通孔２１ａに通されてほぼ水平方向に配置される一方、回転刃体３の刃面３０は、ほぼ垂直方向に配置されていることにより、請求項１に記載の考案の効果に加え、回転刃体３によりすりおろされた大根おろしが回転刃体３からスムーズに流下して、収容容器６に確実に回収することが出来る。
【考案を実施するための最良の形態】
【０００９】
以下、本考案にかかる大根おろし器の一実施形態を説明する。
【００１０】
図１は、本考案にかかる大根おろし器の一実施形態を示す斜視図、図２は、同、正面図、図３は、同、側面図である。
【００１１】
図中、符号1で示す大根おろし器１は、基本的には、
縦長としたボックス状のハウジング２と、
刃面３０に多数のおろし刃３１が突設された円盤状の回転刃体３と、
この回転刃体３を回転させるための回転駆動機構４と、
回転刃体３の刃面３０に対して大根Aを近接乃至離間方向に移動可能に支持するための支持体５が備えられている。
【００１２】
ハウジング２は、左右側板部２１・２２と、前後側板部２３・２４と、左右側板部２１・２２の上端に架設された上板部２５と、左右側板部２１・２２の下端に架設された底板部２６から構成され、これら構成部材２１〜６はプラスチック材料から形成されている。
【００１３】
そしてハウジング2内の底板部２６上には収納部２０が設けられ、すりおろされた大根おろしを収容するための収容容器６を前述の収納部２０に収納するようにしている。
【００１４】
また前側板部２３及び後側板部２４、透明のプラスチック板から形成されており、前側板部２３は後側板部２４よりも短くして、ハウジング２の前面の下部には、前記した収納部２０の出入口２０aが設けられている。
【００１５】
回転機構４は、前記右側板部２２の内面側及び外面側に突出する円筒状のボス２７に軸受部材（図示せず）を介して回転自由に組み付けた回転軸４１と、この回転軸４１の長さ方向一端にボルト止めしたアーム部材４２と、このアーム部材４２の遊端に支持軸４３を介して回転自由に取り付けたハンドル４４とからなり、回転軸４１の長さ方向他端には、前述の回転刃体３がボルト止めされ、ハンドル操作に伴う回転軸４１の回転により、ハウジング２内で回転刃体３をほぼ垂直方向に回転させるようにしている。
【００１６】
尚、回転軸４１は水平方向に延び、この回転軸４１の軸端に組みつけられた回転刃体３の刃面３０は垂直方向に配置されている。
【００１７】
支持体５は、プラスチック材料から断面半円筒の樋状に形成され、大根Ａの収納凹部５０を備えたものであって、この支持体５は、左側板部２１の上部に開設した円形の貫通孔２１ａにほぼ水平状態に通した状態で前記左側板部２１に固定されると共に、この支持体５における前記ハウジング内側の端縁が回転刃板３の刃面３０と近接状態で対向するように配置されている。
【００１８】
以上の構成からなる大根おろし器１により大根Ａをおろすには、先ず、大根おろし器１を例えばテーブル上に載せ、続いて収納部に収容容器６を収納すると共に、図２において２点鎖線で示すように、大根Ａを支持体５の収納凹部５０内に収容すると共に、支持体５の収納凹部５０に沿って回転刃体３に向けてスライドさせて、大根Ａの先端を回転刃体３の刃面３０に圧接させる。
【００１９】
この状態からハンドル４４の操作により、回転刃体３を回転させることで、大根Ａがその先端部から順次回転刃体３のおろし刃３１により順次すりおろされると共に、すりおろされた大根おろしは、垂直方向に配置された回転刃体３からスムーズに流下して収容容器６内に収容されるのである。
【００２０】
そして大根おろしが出来上がった段階で、収容容器６をハウジング２外に取り出して、大根おろしを所望の器に移し替えればよい。
【００２１】
以上の実施形態では、回転刃体３を手動により回転させるようにしたが、例えば図５に示すように、電気的に回転させるようにしてもよい。
【００２２】
即ち、図５に示す実施形態では、回転軸４１の長さ方向一端部にドリブンギヤ４５を組み付け、またハウジング２における右側板部２２の外に、スイッチ４６の切り替え操作により回転駆動する駆動モーター４７と、この駆動モーターの電源となる電池４８を設けると共に、駆動モーター４７のモーター軸４７ａに組み付けたドライブギヤ４９と前記ドリブンギヤ４５との間に減速ギヤ４５ａを介装して、駆動モーター４７の駆動により、減速ギヤ４５ａを介して回転軸４１及び回転刃体３を回転させるようにしてもよい。
【００２３】
斯くして以上の実施形態では、スイッチ４６の切り替え操作だけで回転刃体３を自動的に回転させて大根おろしを作ることが出来るので、より一層、大根おろしの作成が簡単且つ手軽に行なえる。
【図面の簡単な説明】
【００２４】
【図１】本考案にかかる大根おろし器の一実施形態を示す斜視図。
【図２】同、正面図。
【図３】同、左側面図。
【図４】本考案にかかる大根おろし器の別の実施形態を示す一部切欠正面図。
【符号の説明】
【００２５】
１      大根おろし器
２      ハウジング
２０    収納部
２０ａ  出入口
３      回転刃体
３０    刃面
３１    おろし刃
４      回転駆動機構
４１    回転軸
４４    ハンドル
５      支持体
６      収容容器
Ａ      大根
【図１】
0003133803.tif 000003
【図２】
0003133803.tif 000004
【図３】
0003133803.tif 000005
【図４】
0003133803.tif 000006
【手続補正書】
【提出日】平成19年5月23日(2007.5.23)
【手続補正１】
【補正対象書類名】実用新案登録請求の範囲
【補正対象項目名】全文
【補正方法】変更
【補正の内容】
【実用新案登録請求の範囲】
【請求項１】
ボックス状のハウジング２と、このハウジング２内に配置された多数のおろし刃３１をもつ回転刃板３と、この回転刃板３を回転させる回転軸４１を備えた回転機構４と、回転刃体３の刃面３０に対して大根Ａを近接乃至離間方向に移動可能に支持する支持体５が備えられ、回転刃板３は、その刃面３０が前記支持体５に支持する大根Ａの先端部と対向するように配置され、ハウジング２内の底部には、回転刃体３によりおろされた大根おろしの収容容器６の収納部２０が設けられていることを特徴とする大根おろし器。
【請求項２】
支持体５には上部が開口する大根の収納凹部５０が備えられると共に、この支持体５はハウジング２の側板部２１に設けた貫通孔２１ａに通されてほぼ水平方向に配置される一方、回転刃体３の刃面３０は、ほぼ垂直方向に配置されていることを特徴とする請求項１に記載の大根おろし器。